(57)【要約】【課題】支持板の内外面の伸び量の差によって表示パネルの一部が押圧され、表示パネルに色ムラ、輝度ムラが現れるのを防ぐことができる表示装置を提供する。【解決手段】表示パネルと、光源が実装されている基板と、該基板を支持する支持板４と、光源が発光した光を前側へ導光する導光板と、該導光板から出光された光を表示パネルに照射する光学シートとを前後に積層して薄型化を図り、支持板４の後面に、該支持板４を補強する補強部材９を設け、該補強部材９に、支持板４の中央側を基板と離隔する側へ湾曲させる雄螺子１０を装着することにより、支持板４の内外面の伸び量の差によって支持板４が基板側へ湾曲するのを防ぐようにした。【選択図】図８
2010156830.tif 000002
【特許請求の範囲】
【請求項１】
前側に表示面を有する表示パネルと、該表示パネルの後側に配され、光源が実装されている基板と、該基板を支持する支持板と、前記光源が発光した光を前記表示パネルに照射する光学シートとを積層状に配してある表示装置において、前記支持板の中央側が前記表示パネルと離隔する側へ湾曲していることを特徴とする表示装置。
【請求項２】
前記支持板の後面に装着された補強部材を備え、該補強部材に前記支持板の中央側を結合してある請求項１記載の表示装置。
【請求項３】
前記支持板を湾曲させる引体を前記補強部材に装着してある請求項２記載の表示装置。
【請求項４】
前記支持板の後面に第１螺子体を装着してあり、前記引体は、前記第１螺子体に螺着される第２螺子体である請求項３記載の表示装置。
【請求項５】
前記補強部材は、前記支持板の後面に沿って配される柱形をなし、前記支持板における後面の前記第１螺子体から両側へ離隔した部分、及び前記補強部材の長さ方向両側部分の少なくとも一方は、前記支持板の湾曲を制限する制限体を有する請求項４記載の表示装置。
【請求項６】
前記補強部材は、前記支持板の後面に沿って配される柱形をなし、該補強部材の長さ方向両側部分に、前方へ突出する突部を設けてあり、前記支持板は、前記第１螺子体から両側へ離隔した位置で前記突部と対向し、前記支持板の湾曲を制限する制限体を有する請求項４記載の表示装置。
【請求項７】
前記補強部材は、長さ方向中央側における前記第１螺子体と対向する位置から前方へ突出し、前記突部よりも短い第２突部を有し、該第２突部に、前記第２螺子体が挿通される挿通孔が開設されている請求項５又は６記載の表示装置。
【請求項８】
前記補強部材は、前記支持板の後面に沿って配される柱形をなし、該補強部材の長さ方向両側部分から前方へ突出する突部及び長さ方向中央側から前方へ突出し、前記突部よりも短い第２突部を有し、該突部及び第２突部と前記支持板との間に、該支持板の湾曲を制限する制限体を設けてある請求項２記載の表示装置。
【発明の詳細な説明】
【技術分野】
【０００１】
本発明は表示パネルの裏側に導光板を配してある表示装置に関する。
【背景技術】
【０００２】
液晶の表示装置は、表示パネルの後側に光学シート及び導光板を積層し、該導光板の一側に光源を配してあるエッジライト型（例えば、特許文献１参照）と、表示パネルの後側に光学シートを積層し、該光学シートの裏側に光源を配してある直下ライト型（例えば、特許文献２参照）とがある。
【０００３】
表示装置の光学シートは、光源が発光した光を拡散する比較的厚肉の合成樹脂製の拡散板と、反射偏光シート、プリズムシート、拡散シート等の比較的薄肉の合成樹脂シートとが積層された積層体であるため、直下ライト型の表示装置にあっては、光源が発光した際に発生する熱により光学シートが熱膨張し、該光学シートが表示パネル側へ湾曲し易くなり、光学シートの中央側が表示パネルに局所的に密着することがある。
【０００４】
特許文献２の表示装置は、表示パネルと光学シートとの間に、光学シートの熱膨張による湾曲を抑制する湾曲抑制板を配置し、熱膨張した光学シートが表示パネルに密着するのを防ぐように構成されている。
【特許文献１】特開２００８−９３７４号公報
【特許文献２】特開２００５−２０２３１５号公報
【発明の開示】
【発明が解決しようとする課題】
【０００５】
ところが、直下ライト型の表示装置は、光源と光学シートとの間が比較的離隔しているため、エッジライト型の表示装置に比べて前後厚さが厚くなり、薄型化に支障を来す。また、特許文献２のように光源と光学シートとの間に湾曲抑制板を配してある表示装置にあっては、湾曲抑制板の厚さが余計に加わるため、薄型化により一層支障を来す。
【０００６】
また、エッジライト型の表示装置は、導光板が表示パネルに対応する大きさに形成されているため、表示装置の大型化に伴って表示パネルの表示面に輝度ムラが現れ易くなり、薄型化及び大型化の両立が困難である。
【０００７】
図１２は先に開発された表示装置の構成を示す縦断側面図である。本発明の出願人は表示面での輝度ムラがなく、より一層の薄型化及び大型化を図るべく、図１２に示すように表示パネル１００と、該表示パネル１００の後側に並べて配され、光源としての発光ダイオード１０１が実装されている複数の発光ダイオード基板１０２と、該発光ダイオード基板１０２夫々を支持する支持板１０３と、並べて配され、前記発光ダイオード１０１が発光した光を前側へ導光する複数の導光板１０４と、該導光板１０４夫々から出光された光を表示パネル１００に照射する光学シート１０５とを前後に積層してなる表示装置を先に開発した。
【０００８】
この表示装置は、導光板１０４夫々が発光ダイオード基板１０２に並べて保持され、発光ダイオード基板１０２と支持板１０３とが接触し、導光板１０４と光学シート１０５とが接触し、光学シート１０５と表示パネル１００との間が僅かに離隔している。
【０００９】
ところで、表示装置における発光ダイオード１０１は、前側が開放された箱状の支持板１０３内に収容保持されている。支持板１０３は金属板を浅皿状に成形してなり、発光ダイオード１０１の発光時には、支持板１０３の内側が外側よりも高温になるため、内面の伸び量が外面の伸び量よりも多くなり、この内外面の伸び量の差によって支持板は内側へ湾曲する。
【００１０】
この際、発光ダイオード１０１及び光学シート１０５間が比較的離隔している直下ライト型の表示装置にあっては、支持板１０３の内側への湾曲量を吸収することができるため、支持板１０３の内側への湾曲が光学シート１０５に影響することはない。
【００１１】
しかし、先に開発された図１２に示す表示装置は、導光板１０４を並べて保持してある発光ダイオード基板１０２と支持板１０３とが接触し、導光板１０４と光学シート１０５とが接触し、光学シート１０５と表示パネル１００との間が僅かに離隔しているだけであるため、支持板１０３の内外面の伸び量の差によって支持板１０３が内側へ湾曲した際、この支持板１０３の湾曲部が、発光ダイオード基板１０２、導光板１０４及び光学シート１０５を経て表示パネル１００を押圧することになる。この場合、支持板１０３は金属製であり、湾曲による押圧力は比較的大きいため、表示パネル１００の液晶の分子配向に影響を及ぼすことになり、表示パネルの色ムラ、輝度ムラの発生原因となり、改善策が要望されていた。
【００１２】
本発明は斯かる事情に鑑みてなされたものであり、主たる目的は表示パネルと、光源が実装されている基板と、該基板を支持する支持板と、光源が発光した光を表示パネルに照射する光学シートとを前後に積層してなる表示装置において、支持板の内外面の伸び量の差によって支持板が内側へ湾曲するのを防ぐことができる表示装置を提供することにある。
【課題を解決するための手段】
【００１３】
本発明に係る表示装置は、前側に表示面を有する表示パネルと、該表示パネルの後側に配され、光源が実装されている基板と、該基板を支持する支持板と、前記光源が発光した光を前記表示パネルに照射する光学シートとを積層状に配してある表示装置において、前記支持板の中央側が前記表示パネルと離隔する側へ湾曲していることを特徴とする。
【００１４】
この発明にあっては、表示パネル、基板、支持板、導光板及び光学シートが積層状になっているため、表示装置の薄型化を図ることができ、しかも、支持板の中央側が基板と離隔する側へ湾曲しているため、支持板の内外面の伸び量の差によって支持板が内側へ湾曲するのを防ぐことができる。因って、支持板の内外面の伸び量の差が表示パネルに影響するのを防ぐことができ、表示パネルに色ムラ、輝度ムラが現れるのを防ぐことができる。
【００１５】
また、本発明に係る表示装置は、前記支持板の後面に装着された補強部材を備え、該補強部材に前記支持板の中央側を結合してある構成とするのが好ましい。
この発明にあっては、表示パネル、基板、支持板、導光板及び光学シートの積層厚さを変えることなく支持板を補強することができ、しかも、補強部材が支持板の湾曲状態を維持しているため、支持板の内外面の伸び量の差に影響されることなく支持板の湾曲状態を維持することができる。
【００１６】
また、本発明に係る表示装置は、前記支持板を湾曲させる引体を前記補強部材に装着してある構成とするのが好ましい。
この発明にあっては、引体を操作することにより支持板を湾曲させることができるため、支持板を湾曲させるための作業性を向上できる。
【００１７】
また、本発明に係る表示装置は、前記支持板の後面に第１螺子体を装着してあり、前記引体は、前記第１螺子体に螺着される第２螺子体である構成とするのが好ましい。
この発明にあっては、第１螺子体が支持板に装着されているため、支持板の湾曲部の剛性を高めることができるとともに、第２螺子体を第１螺子体に螺着することにより支持体を湾曲させることができ、支持板を湾曲させるための作業性を向上できる。
【００１８】
また、本発明に係る表示装置は、前記補強部材は、前記支持板の後面に沿って配される柱形をなし、前記支持板における後面の前記第１螺子体から両側へ離隔した部分、及び前記補強部材の長さ方向両側部分の少なくとも一方は、前記支持板の湾曲を制限する制限体を有する構成とするのが好ましい。
この発明にあっては、支持板の湾曲部が制限体に当接し、該制限体が支持板の湾曲部を固定しているため、支持板の湾曲部が微振動するのを防ぐことができる。
【００１９】
また、本発明に係る表示装置は、前記補強部材は、前記支持板の後面に沿って配される柱形をなし、該補強部材の長さ方向両側部分に、前方へ突出する突部を設けてあり、前記支持板は、前記第１螺子体から両側へ離隔した位置で前記突部と対向し、前記支持板の湾曲を制限する制限体を有する構成とするのが好ましい。
この発明にあっては、補強部材を直杆状とし、制限体夫々の長さを等しくすることができるため、補強部材及び制限体の配置箇所に拘束されることなく、支持板を湾曲させることができ、支持板を湾曲させるための作業性を向上できる。
【００２０】
また、本発明に係る表示装置は、前記補強部材は、長さ方向中央側における前記第１螺子体と対向する位置から前方へ突出し、前記突部よりも短い第２突部を有し、該第２突部に、前記第２螺子体が挿通される挿通孔が開設されている構成とするのが好ましい。
この発明にあっては、支持板の湾曲中央部が第２突部に当接し、支持板の湾曲中央部周辺が突部に当接し、突部及び第２突部にて湾曲部を固定するため、スピーカが発生する振動に影響されることなく、支持板の微振動を防ぐことができる。
【００２１】
また、本発明に係る表示装置は、前記補強部材は、前記支持板の後面に沿って配される柱形をなし、該補強部材の長さ方向両側部分から前方へ突出する突部及び長さ方向中央側部分から前方へ突出し、前記突部よりも短い長さの第２突部を有し、該突部及び第２突部と前記支持板との間に、該支持板の湾曲を制限する制限体を設けてある構成とするのが好ましい。
この発明にあっては、突部及び第２突部を補強部材と一体に成形することが可能であり、しかも、制限体夫々の長さを等しくすることができるため、補強部材及び制限体の配置箇所に拘束されることなく、支持板を湾曲させることができ、支持板を湾曲させるための作業性をより一層向上できる。
【発明の効果】
【００２２】
以上詳述したように本発明によれば、表示パネル、基板、支持板、導光板及び光学シートが積層状になっているため、表示装置の薄型化を図ることができ、しかも、支持板の中央側は基板と離隔する側へ湾曲しているため、支持板の内外面の伸び量の差によって支持板が内側へ湾曲するのを防ぐことができる。因って、支持板の内外面の伸び量の差が表示パネルに影響するのを防ぐことができ、表示パネルに色ムラ、輝度ムラが現れるのを防ぐことができる。
【発明を実施するための最良の形態】
【００２３】
以下本発明をその実施の形態を示す図面に基づいて詳述する。
実施の形態１
図１は本発明に係る表示装置の構成を示す縦断側面図、図２は表示装置の構成を示す一部を省略した模式的正面図である。
【００２４】
図示した表示装置は、テレビ画像を表示する表示面１ａを前側に有し、略直方体をなす液晶の表示パネル１と、該表示パネル１の後側に並べて配され、複数の発光ダイオード２が実装されている複数の発光ダイオード基板３と、該発光ダイオード基板３夫々を支持する支持板４と、発光ダイオード基板３夫々に並べて保持され、発光ダイオード２が発光した光を前方へ導く複数の導光板５と、該導光板５から出光された光を表示パネル１に照射する光学シート６とを積層状に配してなり、支持板４の後面に取付けられるスタンドにて起立状態を維持する液晶テレビジョン、換言すれば液晶表示装置である。
【００２５】
表示パネル１は、略直方体をなし、周縁部が前保持枠体１１及び後保持枠体１２にて前後に挾持され、パネルモジュールを構成している。
【００２６】
前保持枠体１１は、表示パネル１の周縁部前面に対向する矩形の環板部１１ａ及び環板部１１ａの外縁から後方へ延出されている枠部１１ｂを有し、金属板を成形してなる。環板部１１ａの内縁側に、表示パネル１の周縁部を弾性的に支える帯状の弾性体１３が貼着されている。
【００２７】
後保持枠体１２は、断面四角形をなす基環部１２ａと、該基環部１２ａの内面から内向きに突出し、表示パネル１の周縁部後面及び光学シート６の周縁部に対向する環板部１２ｂとを有し、合成樹脂材を成形してなる。環板部１２ｂの内側は光学シート６を収容する収容部１２ｃになっている。
【００２８】
環板部１２ｂの表示パネル１と対向する面には表示パネル１の周縁部を弾性的に支える帯状の弾性体１４が貼着されている。また、前保持枠体１１及び後保持枠体１２は、環板部１１ａ及び基環部１２ａに開設された貫通孔に挿入される雄螺子にて結合され、表示パネル１が挾着保持されている。また、環板部１１ａ及び基環部１２ａには取付孔が開設されており、該取付孔に挿入される雄螺子にて支持板４の周縁部に表示パネル１が取付けられている。
【００２９】
光学シート６は、発光ダイオード２が発光した光を拡散する比較的厚肉の合成樹脂製の拡散板６１と、反射偏光シート、プリズムシート、拡散シート等の比較的薄肉の合成樹脂シート６２とが積層された積層体であり、表示パネル１に対応して略直方形に形成されている。合成樹脂シート６２は拡散板６１よりも小型に形成され、拡散板６１の周面よりも中央側に配してある。
【００３０】
支持板４は金属板を四角形の浅皿状に成形してなり、周縁部には拡散板６１を支持する環板部４１が一体に成形されている。支持板４の内側には発光ダイオード基板３及び該発光ダイオード基板３に保持されている導光板５が収容され、環板部４１に拡散板６１が載置され、該拡散板６１の全周縁部にパネルモジュールが載置される。
【００３１】
支持板４の内側は、発光ダイオード基板３に保持されている導光板５夫々の出光面部分の高さとほぼ等しい深さに形成され、環板部４１にて支持する拡散板６１の一面と導光板５夫々の出光面とが接触するようになしてある。
【００３２】
図３は表示装置の光源部分及び導光板５部分の構成を示す模式的分解図、図４は表示装置の光源部分及び導光板５部分の構成を示す模式的正面側斜視図、図５は表示装置の光源部分及び導光板５部分の構成を示す模式的断面図である。
【００３３】
発光ダイオード基板３は略直方形をなし、一面に複数の発光ダイオード２を長手方向及び幅方向に碁盤目のように並べて実装してあり、支持板４内に格子状に並置され、雄螺子にて支持板に取付けられている。
【００３４】
発光ダイオード２は図３(a) に示すように発光ダイオード基板３の長手方向に例えば８個、幅方向に例えば４個、合計で３２個実装してあり、発光ダイオード２夫々に対応して３２個の導光板５を発光ダイオード基板３上に配してあり、また、前記長手方向一列の発光ダイオード２に対応して１枚の反射板７、合計４枚の反射板７を配してある。
【００３５】
１つの発光ダイオード基板３と導光板５との関係は図３(b) に示すように構成されており、図４に示すように支持板４の前面に上下方向及び横方向に並べて配置されている。発光ダイオード基板３には、該発光ダイオード基板３を雄螺子にて支持板４に取付けるための貫通孔と、導光板５を止具８にて発光ダイオード基板３に取付けるための嵌合孔３１とが開設されている。また、発光ダイオード基板３の発光ダイオード２夫々に臨む部分には反射層３２がシルク印刷により形成されている。
【００３６】
並置された発光ダイオード基板３において、前記長手方向一列の発光ダイオード基板３は、隣合う２つ同士がフレキシブルプリント基板にて接続され、一端の発光ダイオード基板３が後記する電源回路基板にフレキシブルプリント基板にて接続され、他端の発光ダイオード基板３が後記する制御回路基板にフレキシブルプリント基板にて接続されている。
【００３７】
図６は導光板の構成を示す斜視図である。導光板５は略直方体をなし、拡散板６１と対向する一面に、一側の入光面５１に入光した光を入光面５１とほぼ直交する方向へ照射する出光面５２、及び該出光面５２に連なる非出光面５３を有し、他面に反射板７が設けられており、発光ダイオード２の一側と対向する位置に入光面５１を配してある。具体的には、長手方向一方側の一面が発光ダイオード基板３と平行の扁平な出光面５２、長手方向他方側の一面が発光ダイオード基板３に対して傾斜する非出光面５３、及び他面が発光ダイオード基板３に対して傾斜する傾斜面になっており、長手方向他方側の端部、換言すると非出光面５３の端部に、四角形をなす収容孔５４及び嵌合孔３１に対応する貫通孔５５が開設され、収容孔５４の一面を入光面５１としてあり、他面の傾斜面に反射板７が貼付けられている。
【００３８】
導光板５は一面の傾斜する非出光面５３と、隣合う導光板５における出光面５２側の他面とを重ねて複数列に配され、導光板５夫々の出光面５２は発光ダイオード基板３に対して等距離の面一になっている。複数列に配された導光板５夫々は止具８により発光ダイオード基板３に固定される。
【００３９】
止具８は、離隔して対向する二つのピン８１と、該ピン８１の一端を連結する連結板８２とを有し、隣合う導光板５の貫通孔５５から嵌合孔３１へピン８１を嵌入することにより導光板５を発光ダイオード基板３に固定するように構成されている。
【００４０】
以上のように構成された表示装置は、支持板４、発光ダイオード基板３、導光板５、光学シート６及び表示パネル１が前後に積層されており、発光ダイオード基板３と支持板４とが接触し、導光板５と光学シート６の拡散板６１とが接触し、光学シート６の合成樹脂シート６２と表示パネル１との間が僅かに離隔している。
【００４１】
図７は表示装置の一部を省略した模式的背面図、図８は図７のVIII−VIII線の拡大断面図、図９は図８の一部を拡大した断面図、図１０は図７のX −X 線の拡大断面図である。発光ダイオード基板３を支持する支持板４の後面には、該支持板４を補強する補強部材９が取付けられており、該補強部材９に、支持板４の中央側を補強部材９側へ引き寄せて湾曲させる引体としての雄螺子１０を装着してあり、支持板４の中央側は発光ダイオード基板３と離隔する側（後方）へ湾曲している。尚、雄螺子１０が第２螺子体を構成している。
【００４２】
補強部材９は、横方向に離隔した位置に長さ方向が上下となるように配置された第１〜第４の補強杆９ａ，９ｂ，９ｃ，９ｄと、該補強杆９ａ〜９ｄ夫々の上端に結合され、長さ方向が横方向となるように配置された第５の補強杆９ｅと、第２及び第３の補強杆９ｂ，９ｃの上下方向中央部を連結する連結部材９ｆとを有する。
【００４３】
第１〜第５の補強杆９ａ〜９ｅ及び連結部材９ｆは金属板を断面コ字形に成形してなり、補強杆９ａ〜９ｅ夫々の両端部が、筒状をなす間座９１及び間座９１を貫通する雄螺子９２にて支持板４に固定されている。
【００４４】
第２及び第３の補強杆９ｂ，９ｃには、長さ方向両側から前方へ突出する二つの突部９３，９３（合計四つの突部）と、長さ方向中央部から前方へ突出し、突部９３，９３よりも短い長さの第２突部９４とが夫々一体に成形されており、また、突部９３，９３及び第２突部９４を貫通する挿通孔９３ａ，９４ａが開設されている。
【００４５】
支持板４には、突部９３，９３及び第２突部９４夫々と対向する位置に六つの嵌合孔４２が開設され、嵌合孔４２夫々に、支持板４の後方への湾曲を制限する制限体２０が取付けられている。また、支持板４における湾曲部分の内側には、該湾曲部分と対向する発光ダイオード基板３が後方へ偏倚するのを防ぎ、該発光ダイオード基板３を表示パネル１の表示面１ａと平行的に支持するための薄板状の補助支持部材２１が設けられている。この支持部材２１は膨張係数が比較的小さい合成樹脂製である。
【００４６】
制限体２０は円柱形をなし、等しい長さに形成されている。制限体２０の一端は嵌合孔４２にカシメ加工にて固定されている。制限体２０の他端には螺子孔２０ａが開設されており、突部９３の挿通孔９３ａに挿入される雄螺子１０が螺子孔２０ａへ捩込まれ、第２突部９４の挿通孔９４ａに挿入される雄螺子１０が螺子孔２０ａへ捩込まれることにより、支持板４の中央側を補強部材９側へ引き寄せている。
【００４７】
支持板４の後面の横方向一側部には、発光ダイオード基板３のドライバに電圧を供給する電源回路基板２２が取付けられており、横方向他側部には、前記ドライバを制御する制御回路基板２３が取付けられている。また、支持板４の後面の横方向中央部には表示パネル１に電圧を供給する電源回路基板２４、表示パネル１の表示面１ａに表示される画像を処理する端子回路基板２５、表示パネル１を制御する制御回路基板２６等の複数の回路基板が取付けられている。
【００４８】
以上のように構成された表示装置にあっては、支持板４内に収容保持されている発光ダイオード２が発光しているとき、支持板４の内側が外側よりも高温になるため、該支持板４の内面の伸び量が外面の伸び量よりも多くなり、この内外面の伸び量の差によって支持板４の中央側に内向きの力が作用する。この際、支持板４の中央側は、雄螺子１０及び補強部材９にて後方へ約２〜３mm湾曲され、制限体２０が突部９３及び第２突部９４に接触して支持板４の湾曲を制限しており、この湾曲状態が維持されているため、支持板４の中央側が内側（前方）へ湾曲することはない。因って、発光ダイオード２が発光しているとき、支持板４の中央側が発光ダイオード基板３を押圧することがなく、また、表示パネル１を押圧することもなく、表示パネル１の色ムラ、輝度ムラをなくすることができる。また、第２及び第３補強杆の長さ方向へ離隔した３箇所に雄螺子１０があり、この３箇所にて支持板４の中央側を引き寄せてあるため、支持板４の湾曲度合いを容易に調整することができる。
【００４９】
実施の形態２
図１１は本発明に係る表示装置の他の構成を示す一部を省略した拡大縦断面図である。この表示装置は、第２突部９４をなくし、中央の制限体２０に代えて第１螺子体２７を設け、この第１螺子体２７に螺着される雄螺子１０にて支持板４の中央側を補強部材９側へ引き寄せたものである。
【００５０】
第２及び第３の補強杆９ｂ，９ｃには、長さ方向両側から前方へ突出する二つの突部９３，９３が一体に成形されており、また、長さ方向中央部に挿通孔９５が開設されている。
【００５１】
支持板４における挿通孔９５と対向する位置には嵌合孔４３が開設され、該嵌合孔４３に第１螺子体２７が取付けられている。
【００５２】
第１螺子体２７は円柱形をなし、一端が嵌合孔４３にカシメ加工にて固定されており、他端には嵌合部としての螺子孔２７ａが開設されており、第２及び第３の補強杆９ｂ，９ｃの挿通孔９５に挿入される雄螺子１０が螺子孔２７ａへ捩込まれることにより、支持板４の中央側を補強部材９側へ引き寄せている。
【００５３】
この実施の形態にあっては、雄螺子１０の捩込み加減により、支持板４の湾曲量を容易に調整することができる。
その他の構成及び作用は実施の形態１に示す表示装置と同様であるため、同様の部品については同じ符号を付し、その詳細な説明及び作用効果の説明を省略する。
【００５４】
尚、以上説明した実施の形態では、碁盤目のように並べて発光ダイオード基板３に実装してある複数の発光ダイオード２を光源としたが、その他、光源は基板上に並置される導光板５の入光面と対向するように配される冷陰極管等の円柱形をなす光源であってもよく、光源の構成は特に制限されない。
【００５５】
また、以上説明した実施の形態では、上下及び横方向に列をなして並置された複数の導光板５を備える構成としたが、その他、導光板５は横方向に列をなして並置される構成としてもよく、導光板５の列をなす方向は特に制限されない。
【００５６】
また、以上説明した実施の形態の補強部材９は、第１〜第５の補強杆９ａ〜９ｅを有する構成としたが、その他、補強部材９は第１、第４及び第５の補強杆９ａ，９ｄ，９ｅがなく、第２及び第３の補強杆９ｂ，９ｃを有する構成としてもよいし、また、第２、第３及び第５の補強杆９ａ，９ｄ，９ｅを有する構成としてもよいし、また、支持板４の上下方向中央部に横方向に配される構成としてもよいのであり、補強部材９の配置構成は特に制限されない。
【００５７】
また、以上説明した実施の形態の補強部材９は、断面コ字形をなす補強杆９ａ〜９ｅを有する構成としたが、補強杆９ａ〜９ｅの断面形状は特に制限されない。
【００５８】
また、以上説明した実施の形態では、補強部材９が突部９３及び第２突部９４を有する構成としたが、その他、突部９３及び第２突部９４は必ずしも必要でないし、また、支持板４に設ける構成としてもよい。
【００５９】
また、以上説明した実施の形態では、支持板４に第１螺子体２７及び制限体２０を設けたが、その他、第１螺子体２７及び制限体２０の少なくとも一方は補強部材９が有する構成としてもよい。
【００６０】
また、以上説明した実施の形態では、支持板４の中央側をお腕形に湾曲させる構成としたが、その他、支持板４の湾曲部の形態は特に制限されない。
【図面の簡単な説明】
【００６１】
【図１】本発明に係る表示装置の構成を示す縦断側面図である。
【図２】本発明に係る表示装置の構成を示す一部を省略した模式的正面図である。
【図３】本発明に係る表示装置の光源部分及び導光板部分の構成を示す模式的分解図である。
【図４】本発明に係る表示装置の光源部分及び導光板部分の構成を示す模式的正面側斜視図である。
【図５】本発明に係る表示装置の光源部分及び導光板部分の構成を示す模式的断面図である。
【図６】本発明に係る表示装置の導光板の構成を示す斜視図である。
【図７】本発明に係る表示装置の一部を省略した模式的背面図である。
【図８】図７のVIII−VIII線の拡大断面図である。
【図９】図８の一部を拡大した断面図である。
【図１０】図７のX −X 線の拡大断面図である。
【図１１】本発明に係る表示装置の他の構成を示す一部を省略した拡大縦断面図である。
【図１２】先に開発された表示装置の構成を示す縦断側面図である。
【符号の説明】
【００６２】
１    表示パネル
１ａ  表示面
２    発光ダイオード（光源）
３    発光ダイオード基板（基板）
４    支持板
５    導光板
６    光学シート
９    補強部材
１０  雄螺子（引体、第２螺子体）
２０  制限体
２７  第１螺子体
２７ａ  螺子孔（嵌合部）
９３  突部
９３ａ  挿通孔
９４  第２突部
９４ａ  挿通孔
【図１】
2010156830.tif 000003
【図２】
2010156830.tif 000004
【図３】
2010156830.tif 000005
【図４】
2010156830.tif 000006
【図５】
2010156830.tif 000007
【図６】
2010156830.tif 000008
【図７】
2010156830.tif 000009
【図８】
2010156830.tif 000010
【図９】
2010156830.tif 000011
【図１０】
2010156830.tif 000012
【図１１】
2010156830.tif 000013
【図１２】
2010156830.tif 000014